(57)【要約】【課題】吹き出す気流の温度低下量が小さいこと。【解決手段】冷却装置が、一端が開口しており底面２０及び側面２３を有する筐体２１と、筐体２１の開口に設けられ、底面２０に対して軸が垂直である筒状部材２２と、筐体２１の底面２０と筒状部材２２との間に配置されており筒状部材２２によって形成される吸込口３１から吸い込んだ気体を遠心方向へ吹き出す遠心ファン４と、霧を噴出する噴霧ノズル１０とを備え、筒状部材２２と筐体２１の側面２３とによって吹出口が形成されており、噴霧ノズル１０が筒状部材２２の底面２０とは反対側の縁に配置されていることにより、吹出口３０から吹き出された吹出流が再び吸込口３１に吸い込まれる循環流が発生し、その循環流が霧の気化熱によって繰り返し冷却されるので、吹出流の温度低下量を大きくすることができる。【選択図】図１
2018128221.tif 000002
【特許請求の範囲】
【請求項１】
一端が開口しており、底面及び側面を有する筐体と、
前記筐体の開口に設けられ、前記底面に対して軸が垂直である筒状部材と、
前記筐体の前記底面と前記筒状部材との間に配置されており、前記筒状部材によって形成される吸込口から吸い込んだ気体を遠心方向へ吹き出す遠心ファンと、
霧を噴出する噴霧ノズルと、を備え、
前記筒状部材と前記筐体の側面とによって吹出口が形成されており、
前記噴霧ノズルが、前記筒状部材の前記底面とは反対側の縁に配置されている、
ことを特徴とする冷却装置。
【発明の詳細な説明】
【技術分野】
【０００１】
本発明は、冷却装置に関する。
【背景技術】
【０００２】
従来、ファンと噴霧ノズルを備えた冷却装置は、ファンが吹き出した気流をガイドケーシングで整流し、霧を搬送する。
【０００３】
図３は、特許文献１に開示されている従来の冷却装置の構成を示す。従来の冷却装置は、図３に示すように、複数の翼１０１を有するファン１００と、翼１０１の周囲に配置され、翼１０１が吹き出した気流を整流するための中空円筒形状のガイドケーシング１１０と、ガイドケーシング１１０の中空円筒形状の内部に霧１１を噴出するための噴霧ノズル１０とを備える。
【先行技術文献】
【特許文献】
【０００４】
【特許文献１】特開２００９−１０８６７９号公報
【発明の概要】
【発明が解決しようとする課題】
【０００５】
しかしながら、従来の冷却装置の構成は、霧１１の気化熱により冷却された低温空気が、ファン１００の回転駆動によって外部環境から吸い込まれた高温空気と混合するため、冷却装置から吹き出される気流１０５の温度低下量が小さいという課題を有する。
【０００６】
本発明は、従来の課題を解決するもので、吹き出す気流の温度低下量を大きくした冷却装置を提供することを目的とする。
【課題を解決するための手段】
【０００７】
従来の課題を解決するために、本発明の冷却装置は、一端が開口しており底面及び側面を有する筐体と、前記筐体の開口に設けられ前記底面に対して軸が垂直である筒状部材と、前記筐体の前記底面と前記筒状部材との間に配置されており、前記筒状部材によって形成される吸気口から吸い込んだ気体を遠心方向へ吹き出す遠心ファンと、霧を噴出する噴霧ノズルとを備え、前記筒状部材と前記筐体の側面とによって吹出口が形成されており、前記噴霧ノズルが前記筒状部材の前記底面とは反対側の縁に配置されている。
【０００８】
筒状部材によって形成される吸込口から吸い込まれる気流（「吸込流」という）は、筒状部材の縁に配置されている噴霧ノズルから噴出される霧の気化熱によって冷却される。さらに、筒状部材と筐体の側面とによって形成される吹出口から吹き出される気流（「吹出流」という）のうち、吸込口に近い方の気流は、遠心ファンの駆動によって発生する負圧作用によって、再び吸込口から吸い込まれ、その際、噴霧ノズルから噴出される霧の気化熱によって再び冷却される。このようにして、冷却装置を循環する気流（「循環流」という）は、霧の気化熱によって何度も冷却され、低温となる。吹出流は、吸込流と冷却された循環流との混合流となるので、これにより、吹出流の温度低下量が大きくなる。
【発明の効果】
【０００９】
本発明の冷却装置は、冷却装置から吹き出す気流の温度低下量を大きくすることができる。
【図面の簡単な説明】
【００１０】
【図１】本実施の形態における冷却装置の斜視図
【図２】本実施の形態における冷却装置の断面図
【図３】特許文献１に開示された従来の冷却装置の構成を示す図
【発明を実施するための形態】
【００１１】
本発明の冷却装置は、一端が開口しており底面及び側面を有する筐体と、前記筐体の開口に設けられ前記底面に対して軸が垂直である筒状部材と、前記筐体の前記底面と前記筒状部材との間に配置されており、前記筒状部材によって形成される吸気口から吸い込んだ気体を遠心方向へ吹き出す遠心ファンと、霧を噴出する噴霧ノズルとを備え、前記筒状部材と前記筐体の側面とによって吹出口が形成されており、前記噴霧ノズルが前記筒状部材の前記底面と反対側の縁に配置されている。
【００１２】
これにより、筒状部材によって形成される吸込口から吸い込まれる気流（吸込流）は、筒状部材の縁に配置されている噴霧ノズルから噴出される霧の気化熱によって冷却される。さらに、吹出口から吹き出される気流（「吹出流」という）のうち、吸込口に近い方の気流は、遠心ファンの回転による負圧作用によって再び吸込口から吸い込まれ、その際も、噴霧ノズルから噴出される霧の気化熱によって再び冷却される。このようにして、冷却装置を循環する気流（「循環流」という）は、霧の気化熱によって繰り返し冷却され、低温となる。冷却装置は、外部気体と低温の循環流とを混合し、吹出流として吹き出すことにより、吹出流の温度低下量を大きくすることができる。
【００１３】
また、本発明の冷却装置は、従来の冷却装置よりも吹出流の温度低下量を大きくすることができるため、従来の冷却装置よりも少ない噴霧量でも、従来の冷却装置と同等の温度低下量を実現することができる。
【００１４】
また、本発明の冷却装置は、大気中の低温空気を包み込むような循環流を発生させるので、低温空気が自然風によって流されることを抑制することができる。
【００１５】
また、本発明の冷却装置は、冷却された循環流によって遠心ファンのファンモータの過熱が抑止されるため、ファンモータの寿命を延ばすことができる。
【００１６】
以下、本発明の実施の形態について、図面を参照しながら説明する。なお、この実施の形態によって本発明が限定されるものではない。
【００１７】
図１は、本実施の形態における冷却装置の斜視図を示す。図２は、本実施の形態における冷却装置の断面図を示す。
【００１８】
冷却装置は、遠心ファン４と、筐体２１と、円筒部材２２と、噴霧ノズル１０とを備える。
【００１９】
筐体２１は、一端が開口している中空円筒形状であり、底面２０と側面２３とを有する。ただし、筐体２１は、中空多角形形状等、他の形状であってもよい。
【００２０】
円筒部材２２は、両端が開口している中空円筒形状であり、筐体２１の開口に設けられている。
【００２１】
遠心ファン４は、筐体２１の底面２０と円筒部材２２との間に配置され、筐体２１に収容されている。遠心ファン４は、一端が開口した円錐台形状の主板１と、中空円錐台形状のシュラウド２と、主板１とシュラウド２との間に配置されている複数の翼３と、を有する。円筒部材２２の軸と遠心ファン４の回転軸とは同方向になっており、遠心ファン４は、円筒部材２２によって形成される吸込口３１から吸い込んだ気体を遠心方向へ吹き出す。
【００２２】
ファンモータ５は、底面２０と主板１との間に配置されている。ファンモータ５の回転軸６は主板１の中心と連結されており、回転軸６の駆動によって遠心ファン４を回転させる。
【００２３】
すなわち、底面２０から遠心ファン４の回転軸に沿って筐体２１の開口に向かって、主板１、シュラウド２、円筒部材２２、吸込口３１の順番に配置されている。
【００２４】
円筒部材２２と筐体２１の側面２３とによって、吹出口３０が形成されている。すなわち、吹出口３０は、吸込口３１よりも遠心方向に形成されている。吹出口３０は、遠心ファン４が遠心方向へ吹き出した気流は、吹出口３０を通って外部空間へ吹き出される。
【００２５】
噴霧ノズル１０は、霧１１を噴出するノズルである。噴霧ノズル１０は、円筒部材２２の底面２０とは反対側の縁に配置されている。すなわち、噴霧ノズル１０は、吸込口３１と吹出口３０との間に配置されている。
【００２６】
以上のように構成された冷却装置における動作及び作用を、以下に述べる。
【００２７】
遠心ファン４の回転による負圧作用によって、吸込口３１から、円筒部材２２及びシュラウド２を通って、遠心ファン４の回転軸と平行に流れる吸込流が発生する。その吸込流は、遠心ファン４の回転軸を通る断面で見た場合に、シュラウド２の円弧面と主板１の凸斜面との対向によって形成されている流体流路において曲げられ、複数の翼３で昇圧されて遠心ファン４の遠心方向へ吹き出される。
【００２８】
遠心ファン４から吹き出され、さらに吹出口３０から吹き出された気流（吹出流）のうち、吸込口３１に近い方の吹出流９０は、遠心ファン４による負圧作用によって吸込口３１から吸い込まれ、再び、吹出口３０から吹き出される。すなわち、冷却装置を循環する循環流９１が発生する。
【００２９】
この循環流９１は、吸込口３１と吹出口３０との間に配置されている噴霧ノズル１０から大気中に噴霧された霧１１の気化熱によって繰り返し冷却されるため、低温となる。冷却装置は、その低温の循環流９１と外部気体とを混合し、吹出流として吹き出すことにより、吹出流の温度低下量を大きくすることができる。
【００３０】
このように、本実施の形態の冷却装置は、従来の冷却装置よりも吹出流の温度低下量を大きくすることができるため、従来の冷却装置よりも少ない噴霧量でも、従来の冷却装置と同等の温度低下量を実現することができる。すなわち、噴霧ノズル１０が使用する水量を減らすことができる。
【００３１】
また、本実施の形態の冷却装置は、大気中の低温空気を包み込むような循環流９１を発生させるので、低温空気が自然風によって流されることを抑止することができる。
【００３２】
また、本実施の形態の冷却装置は、冷却された循環流９１によってファンモータ５の過熱が抑止されるため、ファンモータ５の寿命を延ばすことができる。
【００３３】
以上、本発明の実施形態について説明したが、本発明は上記実施形態に限定されるものではなく、本発明の趣旨を逸脱しない範囲で種々の変更が可能である。
【産業上の利用可能性】
【００３４】
以上のように、本発明に係る冷却装置は、吹出流の温度低下量を大きくすることが可能となるので、空気調和機の室内機等の用途にも適用できる。
【符号の説明】
【００３５】
１  主板
２  シュラウド
３  翼
４  遠心ファン
５  ファンモータ
１０  噴霧ノズル
２０  底面
２１  筐体
２３  側面
３０  吹出口
３１  吸込口
【図１】
2018128221.tif 000003
【図２】
2018128221.tif 000004
【図３】
2018128221.tif 000005